(57)【特許請求の範囲】
【請求項１】
電池セルアセンブリー（１０）であって、
実質的に四角環形状の第１フレーム（ｆｉｒｓｔ  ｓｕｂｓｔａｎｔｉａｌｌｙ  ｒｅｃｔａｎｇｕｌａｒ  ｒｉｎｇ−ｓｈａｐｅｄ  ｆｒａｍｅ）（１７０）と第１連結部材（ｆｉｒｓｔ  ｃｏｕｐｌｉｎｇ  ｍｅｍｂｅｒ）（１７２）を含む第１フレームアセンブリー（ｆｉｒｓｔ  ｆｒａｍｅ  ａｓｓｅｍｂｌｙ）（２２）であって、第１面（ｆｉｒｓｔ  ｐｌａｎｅ）（１８２）が実質的に四角環形状の第１フレーム（１７０）と第１連結部材（１７２）を通じて延長されている第１フレームアセンブリー（２２）；
実質的に四角環形状の第２フレーム（ｓｅｃｏｎｄ  ｓｕｂｓｔａｎｔｉａｌｌｙ  ｒｅｃｔａｎｇｕｌａｒ  ｒｉｎｇ−ｓｈａｐｅｄ  ｆｒａｍｅ）（５７０）と第１連結部材（５７２）を含む第２フレームアセンブリー（ｓｅｃｏｎｄ  ｆｒａｍｅ  ａｓｓｅｍｂｌｙ）（２４）であって、第２面（ｓｅｃｏｎｄ  ｐｌａｎｅ）（５８２）が実質的に四角環形状の第２フレーム（５７０）と第１連結部材（５７２）を通じて延長されている第２フレームアセンブリー（２４）；および
前記第１フレームアセンブリー（２２）および第２フレームアセンブリー（２４）の間に位置する第１電池セル；
を含み、
前記第１フレームアセンブリー（２２）の第１連結部材（１７２）は、実質的に四角環形状の第１フレーム（１７０）の第１側壁（ｆｉｒｓｔ  ｓｉｄｅ  ｗａｌｌ）に連結されて実質的に四角環形状の第１フレーム（１７０）の第１側壁から第１方向に外部に延長されており、前記第１フレームアセンブリー（２２）の第１連結部材（１７２）は、実質的に四角環形状の第１フレーム（１７０）の第１側壁の第１端部（ｆｉｒｓｔ  ｅｎｄ）に隣接して連結され、前記第１フレームアセンブリー（２２）の第１連結部材（１７２）は、第１弾性アーム部材（ｆｉｒｓｔ  ｒｅｓｉｌｉｅｎｔ  ａｒｍ  ｍｅｍｂｅｒ）（２５０）および第２弾性アーム部材（ｓｅｃｏｎｄ  ｒｅｓｉｌｉｅｎｔ  ａｒｍ  ｍｅｍｂｅｒ）（２５２）を有する第１タング部（ｆｉｒｓｔ  ｔｏｎｇｕｅ  ｐｏｒｔｉｏｎ）（２１４）を含み、
前記第２フレームアセンブリー（２４）の第１連結部材（５７２）は、実質的に四角環形状の第２フレーム（５７０）の第１側壁（６００）に連結され、実質的に四角環形状の第２フレーム（５７０）の第１側壁（６００）から第１方向に延長されており、前記第２フレームアセンブリー（２４）の第１連結部材（５７２）は、実質的に四角環形状の第２フレーム（５７０）の第１側壁（６００）の第１端部に隣接して連結され、前記第２フレームアセンブリー（２４）の第１連結部材（５７２）は、第１開口（ｆｉｒｓｔ  ａｐｅｒｔｕｒｅ）を有する凹部材（ｆｅｍａｌｅ  ｍｅｍｂｅｒ）（６１２）を含み；第１フレームアセンブリー（２２）の第１連結部材（１７２）の第１タング部（２１４）の第１弾性アーム部材（２５０）および第２弾性アーム部材（２５２）は、第１開口を通じて延長され、第１フレームアセンブリー（２２）と第２フレームアセンブリー（２４）を連結するために第２フレームアセンブリー（２４）の第１連結部材（５７２）の凹部材（６１２）により定義される結束面（ｅｎｇａｇｅｍｅｎｔ  ｓｕｒｆａｃｅ）（６６２）に結束されており、
前記第２フレームアセンブリー（２４）の第１連結部材（５７２）は、第１タング部（６１４）と凹部材（６１２）を含み、
前記第２フレームアセンブリー（２４）の第１連結部材（５７２）の凹部材（６１２）は、第１水平壁（６２０）、第２水平壁（６２２）、および第３水平壁（６２４）と第１垂直壁（６２８）および第２垂直壁（６３０）により定義され；前記第１水平壁（６２０）、第２水平壁（６２２）、および第３水平壁（６２４）は、互いに平行に延長されており、第２面（５８２）に対して平行であり、互いに離隔しており、前記第１垂直壁（６２８）と第２垂直壁（６３０）は、第１水平壁（６２０）、第２水平壁（６２２）、および第３水平壁（６２４）に連結されており；前記第１水平壁（６２０）および第２水平壁（６２２）は、第１水平壁（６２０）と第２水平壁（６２２）の間に定義された第１中空（６４０）を含み；前記第２水平壁（６２２）および第３水平壁（６２４）は、第２水平壁（６２２）と第３水平壁（６２４）の間に定義された第２中空（６４２）を含んでおり；前記第１水平壁（６２０）および第２水平壁（６２２）は、第１水平壁（６２０）と第２水平壁（６２２）を通じて延長されている開口（６６０）と開口（６６４）をそれぞれ含み；
前記第２フレームアセンブリー（２４）の第１連結部材（５７２）の第１タング部（６１４）の第１弾性アーム（６５０）および第２弾性アーム（６５２）は、第３水平壁（６２４）に連結されて第３水平壁（６２４）から延長されていることを特徴とする電池セルアセンブリー（１０）。
【請求項２】
前記第１フレームアセンブリー（２２）の第１連結部材（１７２）は、第１フレームアセンブリー（２２）の第１連結部材（１７２）の第１タング部（２１４）上に位置する凹部材（２１２）を含み、前記第１フレームアセンブリー（２２）の第１連結部材（１７２）の凹部材（２１２）は、第２開口（ｓｅｃｏｎｄ  ａｐｅｒｔｕｒｅ）を含み；
前記電池セルアセンブリー（１０）は、第１連結部材（６２）を有する第３フレームアセンブリー（ｔｈｉｒｄ  ｆｒａｍｅ  ｍｅｍｂｅｒ  ａｓｓｅｍｂｌｙ）（２０）をさらに含み、前記第１連結部材（６２）は、第１弾性アーム部材（９６）および第２弾性アーム部材（９８）を有する第１タング部（９５）を含み、前記第３フレームアセンブリー（２０）の第１連結部材（６２）の第１タング部（９５）の第１弾性アーム部材（９６）および第２弾性アーム部材（９８）は、第２開口を通じて延長され、第３フレームアセンブリー（２０）に第１フレームアセンブリー（２２）を連結するために第１フレームアセンブリー（２２）の第１連結部材（１７２）の凹部材（２１２）により定義される結束面（２６４）に結束されることを特徴とする、請求項１に記載の電池セルアセンブリー（１０）。
【請求項３】
前記電池セルアセンブリー（１０）は、凹部材（１１００）を有する第１連結部材（１０６２）を有する第４フレームアセンブリー（２６）をさらに含み、前記第４フレームアセンブリー（２６）の第１連結部材（１０６２）の凹部材（１１００）は、第２開口を含み、前記第２フレームアセンブリー（２４）の第１連結部材（５７２）の第１タング部（６１４）の第１弾性アーム部材（６５０）および第２弾性アーム部材（６５２）は、第２開口を通じて延長され、第４フレームアセンブリー（２６）に第２フレームアセンブリー（２４）を連結するために第１連結部材（１０６２）の凹部材（１１００）により定義される結束面（１１１２）に結束されることを特徴とする、請求項１に記載の電池セルアセンブリー（１０）。
【請求項４】
前記実質的に四角環形状の第１フレーム（１７０）は、第１側壁、第２側壁、第３側壁、および第４側壁を含み；前記実質的に四角環形状の第１フレーム（１７０）の第１側壁および第２側壁は、互いに実質的に平行に延長されて第３側壁と第４側壁の間に連結されており、前記第３側壁および第４側壁は、互いに実質的に平行であり、実質的に四角環形状の第１フレーム（１７０）の第３側壁と第４側壁に実質的に垂直に延長されていることを特徴とする、請求項１に記載の電池セルアセンブリー（１０）。
【請求項５】
前記第１フレームアセンブリー（２２）は、第２連結部材（１７４）、第３連結部材（１７６）、および第４連結部材（１７８）をさらに含むことを特徴とする、請求項４に記載の電池セルアセンブリー（１０）。
【請求項６】
前記第２連結部材（１７４）は、実質的に四角環形状の第１フレーム（１７０）の第１側壁に連結されて実質的に四角環形状の第１フレーム（１７０）の第１側壁から第１方向に外部に延長されており、前記第２連結部材（１７４）は、実質的に四角環形状の第１フレーム（１７０）の第１側壁の第２端部（ｓｅｃｏｎｄ  ｅｎｄ）に隣接して連結されていることを特徴とする、請求項５に記載の電池セルアセンブリー（１０）。
【請求項７】
前記第３連結部材（１７６）は、実質的に四角環形状の第１フレームの第２側壁に連結されて実質的に四角環形状の第１フレーム（１７０）の第２側壁から第１方向に対向する第２方向に外部に延長されており、前記第３連結部材（１７６）は、第２側壁の第１端部に隣接して連結されていることを特徴とする、請求項６に記載の電池セルアセンブリー（１０）。
【請求項８】
前記第４連結部材（１７８）は、実質的に四角環形状の第１フレームの第２側壁に連結されて実質的に四角環形状の第１フレーム（１７０）の第２側壁から第２方向に外部に延長されており、前記第４連結部材（１７８）は、第２側壁の第２端部に隣接して連結されることを特徴とする、請求項７に記載の電池セルアセンブリー（１０）。
【請求項９】
前記第１フレームアセンブリー（２２）は、第１パネル部（ｆｉｒｓｔ  ｐａｎｅｌ  ｐｏｒｔｉｏｎ）と第２パネル部（ｓｅｃｏｎｄ  ｐａｎｅｌ  ｐｏｒｔｉｏｎ）を有する固い（ｓｏｌｉｄ）冷却フィン（１８０）をさらに含み、前記第１パネル部は、実質的に四角環形状の第１フレーム部材（１７０）の第１側壁、第２側壁、第３側壁、および第４側壁内に少なくとも部分的にカプセル化（ｅｎｃａｐｓｕｌａｔｅ）されており、前記第１パネル部は、第３側壁を通じてさらに延長されており、前記第２パネル部は、第１パネル部の端部に連結されて第３側壁の外装に直接位置し、前記第１電池セルは、第１パネル部の少なくとも一部分に対面して直接配置されていることを特徴とする、請求項４に記載の電池セルアセンブリー（１０）。
【請求項１０】
前記第１フレームアセンブリー（２２）の第１連結部材（１７２）は、凹部材（２１２）を含み、
前記第１フレームアセンブリー（２２）の第１連結部材（１７２）の凹部材（２１２）は、第１水平壁（２２０）、第２水平壁（２２２）、および第３水平壁（２２４）と第１垂直壁（２２８）および第２垂直壁（２３０）により定義され；前記第１水平壁（２２０）、第２水平壁（２２２）、および第３水平壁（２２４）は、互いに平行に延長されており、第１面（１８２）に対して平行であり、互いに離隔しており、前記第１垂直壁（２２８）と第２垂直壁（２３０）は、第１水平壁（２２０）、第２水平壁（２２２）、および第３水平壁（２２４）に連結されており；前記第１水平壁（２２０）および第２水平壁（２２２）は、第１水平壁（２２０）と第２水平壁（２２２）の間に定義された第１中空（２４０）を含み；前記第２水平壁（２２２）および第３水平壁（２２４）は、第２水平壁（２２２）と第３水平壁（２２４）の間に定義された第２中空（２４２）を含んでおり；前記第１水平壁（２２０）および第２水平壁（２２２）は、第１水平壁（２２０）と第２水平壁（２２２）を通じて延長されている開口（２６０）と開口（２６２）をそれぞれ含み；
前記第１フレームアセンブリー（２２）の第１連結部材（１７２）の第１タング部（２１４）の第１弾性アーム（２５０）および第２弾性アーム（２５２）は、第３水平壁（２２４）に連結されて第３水平壁（２２４）から延長されていることを特徴とする、請求項１に記載の電池セルアセンブリー（１０）。
【請求項１１】
前記第１フレームアセンブリー（２２）は、プラスチック（ｐｌａｓｔｉｃ）からなり、第２フレームアセンブリー（２４）もプラスチックからなることを特徴とする、請求項１に記載の電池セルアセンブリー（１０）。
【発明の詳細な説明】
【技術分野】
【０００１】
本出願は、２０１５年１０月０７日付米国特許出願第１４／８７７，１４７号に基づいた優先権の利益を主張し、当該米国特許出願の文献に開示されたすべての内容は本明細書の一部として組み込まれる。
【０００２】
本発明は、電池セルアセンブリーに関する。
【背景技術】
【０００３】
従来の電池セルアセンブリーは、フレームの連結時、十分な結束力を有することができないか、または追加的な連結部材を必要としてフレームの連結が容易でないという問題点があった。
【０００４】
そこで、本発明の発明者らは、フレームアセンブリーを連結するための向上した構造を含む電池セルアセンブリーの必要性を認識した。
【発明の概要】
【発明が解決しようとする課題】
【０００５】
本発明は、従来技術の問題点と過去から要請されてきた技術的課題を解決することを目的とする。
【０００６】
本出願の発明者らは、深い研究と多様な実験を重ねた結果、電池セルアセンブリーが弾性アーム部材を有するタング部および凹部材を有する連結部材を含むことによって、フレームアセンブリーを容易に連結することができることを確認した上で、本発明を完成するに至った。
【課題を解決するための手段】
【０００７】
本発明の一つの例示的な実施例による電池セルアセンブリーを提供する。電池セルアセンブリーは、実質的に四角環形状の第１フレーム（ｆｉｒｓｔ  ｓｕｂｓｔａｎｔｉａｌｌｙ  ｒｅｃｔａｎｇｕｌａｒ  ｒｉｎｇ−ｓｈａｐｅｄ  ｆｒａｍｅ）と第１連結部材（ｆｉｒｓｔ  ｃｏｕｐｌｉｎｇ  ｍｅｍｂｅｒ）を有する第１フレームアセンブリー（ｆｉｒｓｔ  ｆｒａｍｅ  ａｓｓｅｍｂｌｙ）を含み、第１面（ｆｉｒｓｔ  ｐｌａｎｅ）が実質的に四角環形状の第１フレームと第１連結部材を通じて延長されている。前記第１フレームアセンブリーの第１連結部材は、実質的に四角環形状の第１フレームの第１側壁（ｆｉｒｓｔ  ｓｉｄｅ  ｗａｌｌ）に連結されて実質的に四角環形状の第１フレームの第１側壁から第１方向に外部に延長されている。前記第１フレームアセンブリーの第１連結部材は、実質的に四角環形状の第１フレームの第１側壁の第１端部（ｆｉｒｓｔ  ｅｎｄ）に隣接して連結されている。前記第１フレームアセンブリーの第１連結部材は、第１弾性アーム部材（ｆｉｒｓｔ  ｒｅｓｉｌｉｅｎｔ  ａｒｍ  ｍｅｍｂｅｒ）および第２弾性アーム部材（ｓｅｃｏｎｄ  ｒｅｓｉｌｉｅｎｔ  ａｒｍ  ｍｅｍｂｅｒ）と共に第１タング部（ｆｉｒｓｔ  ｔｏｎｇｕｅ  ｐｏｒｔｉｏｎ）を含む。前記電池セルアセンブリーは、実質的に四角環形状の第２フレーム（ｓｅｃｏｎｄ  ｓｕｂｓｔａｎｔｉａｌｌｙ  ｒｅｃｔａｎｇｕｌａｒ  ｒｉｎｇ−ｓｈａｐｅｄ  ｆｒａｍｅ）と第１連結部材を有する第２フレームアセンブリー（ｓｅｃｏｎｄ  ｆｒａｍｅ  ａｓｓｅｍｂｌｙ）を含み、第２面（ｓｅｃｏｎｄ  ｐｌａｎｅ）が実質的に四角環形状の第２フレームと第１連結部材を通じて延長されている。前記第２フレームアセンブリーの第１連結部材は、実質的に四角環形状の第２フレームの第１側壁に連結され、実質的に四角環形状の第２フレームの第１側壁から第１方向に延長されている。前記第２フレームアセンブリーの第１連結部材は、実質的に四角環形状の第２フレームの第１側壁の第１端部に隣接して連結されている。前記第２フレームアセンブリーの第１連結部材は、１開口（ｆｉｒｓｔ  ａｐｅｒｔｕｒｅ）と共に凹部材（ｆｅｍａｌｅ  ｍｅｍｂｅｒ）を含み、第１フレームアセンブリーの第１連結部材の第１タング部の第１弾性および第２弾性アーム部材は、第１開口を通じて延長され、第１フレームアセンブリーと第２フレームアセンブリーを連結するために第２フレームアセンブリーの第１連結部材の凹部材により定義される結束面（ｅｎｇａｇｅｍｅｎｔ  ｓｕｒｆａｃｅ）に結束される。前記電池セルアセンブリーは、第１フレームアセンブリーおよび第２フレームアセンブリーの間に位置する第１電池セルをさらに含む。
【発明の効果】
【０００８】
本発明による電池セルアセンブリーは、弾性アーム部材を有するタング部および凹部材を有する連結部材を含むことによって、フレームアセンブリーを容易に連結することができる。
【図面の簡単な説明】
【０００９】
【図１】本発明の一つの例示的な実施例による電池セルアセンブリーの模式図である。
【図２】図１の電池セルアセンブリーの他の模式図である。
【図３】直線３−３による図１の電池セルアセンブリーの断面模式図である。
【図４】直線４−４による図１の電池セルアセンブリーの他の断面模式図である。
【図５】直線５−５による図１の電池セルアセンブリーのまた他の断面模式図である。
【図６】図１の電池セルアセンブリーで使用される第１フレームアセンブリーの模式図である。
【図７】図６の第１フレームアセンブリーの他の模式図である。
【図８】図１の電池セルアセンブリーで使用される第２フレームアセンブリーの模式図である。
【図９】図８の第２フレームアセンブリーの側面図である。
【図１０】図８の第２フレームアセンブリーの他の模式図である。
【図１１】図８の第２フレームアセンブリーのまた他の側面図である。
【図１２】図１の電池セルアセンブリーで使用される第３フレームアセンブリーの模式図である。
【図１３】図１２の第３フレームアセンブリーの側面図である。
【図１４】図１２の第３フレームアセンブリーの他の模式図である。
【図１５】図１２の第３フレームアセンブリーのまた他の側面図である。
【図１６】図１の電池セルアセンブリーで使用される第４フレームアセンブリーの模式図である。
【図１７】図１６の第４フレームアセンブリーの他の模式図である。
【発明を実施するための形態】
【００１０】
図１ないし５を参照して、一つの例示的な実施例による電池セルアセンブリー１０が提供される。電池セルアセンブリー１０は、フレームアセンブリー２０、２２、２４、２６と電池セル４０、４２、４４、４６を含む。電池セルアセンブリー１０の利点は、フレームアセンブリー２２、２４のそれぞれが、フレームアセンブリー２４にフレームアセンブリー２２を容易に連結することができるように、弾性アーム部材を有するタング部を含む連結部材そして凹部材を含む連結部材を含むことにある。
【００１１】
図３および図５ないし図７を参照すると、フレームアセンブリー２０は、電池セル４０がフレームアセンブリー２０、２２の間に位置するようにフレームアセンブリー２２に除去可能に連結されている。フレームアセンブリー２０は、四角環形状のフレーム６０と連結部材６２、６４、６６、６８を含む。一つの例示的な実施例において、フレームアセンブリー２０は、プラスチックからなっている。他の実施例において、フレームアセンブリー２０は、電気的絶縁素材からなってもよいことはもちろんである。四角環形状のフレーム６０は、第１端部８０と第２端部８２を含む。連結部材６２、６４は、第１端部８０から第１方向に外部に延長されており、フレームアセンブリー２０、２２を共に連結するためにフレームアセンブリー２２の連結部材（１７２、１７４：図８に開示）のそれぞれを除去可能に結束することができるように構成されている。また、連結部材６６、６８は、第２端部８２から外部に延長されており、フレームアセンブリー２０、２２を共に連結するためにフレームアセンブリー２２の連結部材（１７６、１７８：図８に開示）のそれぞれを除去可能に結束することができるように構成されている。
【００１２】
図３、図７、および図８を参照すると、連結部材６２は、フレームアセンブリー２２の連結部材１７２に除去可能に結束される。連結部材６２は、水平壁９０、垂直壁９２、９４、およびタング部９５を含む。垂直壁９２、９４は、水平壁９０に連結され、水平壁９０から下向きに互いに実質的に平行に延長されている。また、垂直壁９２、９４は、互いに離隔している。タング部９５は、弾性アーム部材９６、９８を含む。弾性アーム部材９６、９８は、水平壁９０に連結されて水平壁９０から下向きに互いに平行に延長されている。また、弾性アーム部材９６、９８は、互いに離隔しており、垂直壁９２、９４の底部（ｂｏｔｔｏｍ  ｐｏｒｔｉｏｎ）の間にそれぞれ位置している。弾性アーム部材９６は、シャフト部（ｓｈａｆｔ  ｐｏｒｔｉｏｎ、１００）とシャフト部１００の端部に連結されているラッチ部（ｌａｔｃｈ  ｐｏｒｔｉｏｎ、１００）を含む。弾性アーム部材９８は、シャフト部１０３とシャフト部１０３の端部に連結されているラッチ部１０４を含む。弾性アーム部材９７、９８のラッチ部１０１、１０４のそれぞれは、連結部材１７２の結束面（２６４：図３に図示）に除去可能に結束されている。
【００１３】
連結部材６４は、フレームアセンブリー２２の連結部材（１７４：図８に開示）に除去可能に結束される。連結部材６４は、水平壁１１０、垂直壁１１２、１１４、およびタング部１１５を含む。垂直壁１１２、１１４は、水平壁１１０に連結され、水平壁１１０から下向きに互いに実質的に平行に延長されている。また、垂直壁１１２、１１４は、互いに離隔している。タング部１１５は、弾性アーム部材１１６、１１８を含む。弾性アーム部材１１６、１１８は、水平壁１１０に連結されて水平壁１１０から下向きに互いに平行に延長されている。また、弾性アーム部材１１６、１１８は、互いに離隔しており、垂直壁１１２、１１４の底部の間にそれぞれ位置している。弾性アーム部材１１６は、シャフト部１２０とシャフト部１２０の端部に連結されているラッチ部１２１を含む。弾性アーム部材１１８は、シャフト部１２３とシャフト部１２３の端部に連結されているラッチ部１２４を含む。弾性アーム部材１１６、１１８のラッチ部１２１、１２４のそれぞれは、連結部材１７４の結束面（３６４：図３に図示）に除去可能に結束されている。
【００１４】
図４、図７、および図８を参照すると、連結部材６６は、フレームアセンブリー２２の連結部材１７６に除去可能に結束される。連結部材６６は、水平壁１３０、垂直壁１３２、１３４、およびタング部１３５を含む。垂直壁１３２、１３４は、水平壁１３０に連結され、水平壁１３０から下向きに互いに実質的に平行に延長されている。また、垂直壁１３２、１３４は、互いに離隔している。タング部１３５は、弾性アーム部材１３６、１３８を含む。弾性アーム部材１３６、１３８は、水平壁１３０に連結されて水平壁１３０から下向きに互いに平行に延長されている。また、弾性アーム部材１３６、１３８は、互いに離隔しており、垂直壁１３２、１３４の底部の間にそれぞれ位置している。弾性アーム部材１３６は、シャフト部１４０とシャフト部１４０の端部に連結されているラッチ部１４１を含む。弾性アーム部材１３８は、シャフト部１４３とシャフト部１４３の端部に連結されているラッチ部１４４を含む。弾性アーム部材１３６、１３８のラッチ部１４１、１４４のそれぞれは、連結部材１７６の結束面（４６４：図４に開示）に除去可能に結束されている。
【００１５】
連結部材６８は、フレームアセンブリー２２の連結部材（１７８：図８に開示）に除去可能に結束される。連結部材６８は、水平壁１５０、垂直壁１５２、１５４、およびタング部１５５を含む。垂直壁１５２、１５４は、水平壁１５０に連結され、水平壁１５０から下向きに互いに実質的に平行に延長されている。また、垂直壁１５２、１５４は、互いに離隔している。タング部１５５は、弾性アーム部材１５６、１５８を含む。弾性アーム部材１５６、１５８は、水平壁１５０に連結されて水平壁１５０から下向きに互いに平行に延長されている。また、弾性アーム部材１５６、１５８は、互いに離隔しており、垂直壁１５２、１５４の底部の間にそれぞれ位置している。弾性アーム部材１５６は、シャフト部１６０とシャフト部１６０の端部に連結されているラッチ部１６１を含む。弾性アーム部材１５８は、シャフト部１６３とシャフト部１６３の端部に連結されているラッチ部１６４を含む。弾性アーム部材１５６、１５８のラッチ部１６１、１６４のそれぞれは、連結部材１７８の結束面（５６４：図４に開示）に除去可能に結束されている。
【００１６】
図３、図４、図５、および図８ないし図１１を参照すると、フレームアセンブリー２２は、電池セル４０がフレームアセンブリー２０、２２の間に位置するようにフレームアセンブリー２０に除去可能に連結されている。また、フレームアセンブリー２２は、電池セル４２、４４がフレームアセンブリー２２、２４の間に位置するようにフレームアセンブリー２４に除去可能に連結されている。
【００１７】
フレームアセンブリー２２は、実質的に四角環形状のフレーム１７０、連結部材１７２、１７４、１７６、１７８、および固い（ｓｏｌｉｄ）冷却ピン１８０を含む。一つの例示的な実施例において、実質的に四角環形状のフレーム１７０と連結部材１７２、１７４、１７６、１７８は、プラスチックからなっている。他の実施例において、実質的に四角環形状のフレーム１７０と連結部材１７２、１７４、１７６、１７８は、電気的絶縁素材からなってもよいことはもちろんである。面（１８２：図９に開示）は、実質的に四角環形状のフレーム１７０、連結部材１７２、１７４、１７６、１７８、および固い冷却ピン１８０を通じて延長されている。
【００１８】
図８を参照すると、実質的に四角環形状のフレーム１７０は、第１側壁２００、第２側壁２０２、第３側壁２０４、および第４側壁２０６を含む。第１側壁２００と第２側壁２０２は、実質的に互いに平行に延長されて第３側壁２０４と第４側壁２０６の間に連結されている。第３側壁２０４と第４側壁２０６は、実質的に互いに平行であり、第１側壁２００および第２側壁２０２に垂直に延長されている。
【００１９】
図３および８を参照すると、連結部材１７２は、第１側壁２００に連結されて第１側壁２００から第１方向に外部に延長されている。連結部材１７２は、第１側壁２００の第１端部に隣接して連結されている。連結部材１７２は、凹部材２１２と凹部材２１２に連結されたタング部２１４を含む。
【００２０】
凹部材２１２は、水平壁２２０、２２２、２２４および垂直壁２２８、２３０を含む。水平壁２２０、２２２、２２４は、互いに平行に延長されており、第１面１８２に対して平行であり、互いに離隔している（図９に図示）。垂直壁２２８、２３０は、水平壁２２０、２２２、２２４に連結されている。水平壁２２２、２２４は、水平壁２２２、２２４の間に中空２４４を含む。水平壁２２４と垂直壁２２８、２３０は、中空２４２と連通する水平壁２２４の側部に対向する水平壁２２４の側部上に中空２４４を定義する。また、水平壁２２０は、水平壁２２０を通じて延長されている開口２６０を含む。水平壁２２２は、水平壁２２２を通じて延長されている開口２６２を含み、中空２４２と連通する結束面２６４を含む。結束面２６４は、フレームアセンブリー２０の連結部材６２の弾性アーム９６、９８に結束される。
【００２１】
図３および９を参照すると、タング部２１４は、弾性アーム部材２５０、２５２を含む。弾性アーム部材２５０、２５２は、水平壁２２４に連結され、水平壁２２４から下向きに互いに実質的に平行に延長されている。また、弾性アーム部材２５０、２５２は、互いに離隔しており、垂直壁２２８、２３０の底部の間に位置する。弾性アーム部材２５０は、シャフト部２５４とシャフト部２５４の端部に連結されたラッチ部２５５を含む。弾性アーム部材２５２は、シャフト部２５７とシャフト部２５７の端部に連結されたラッチ部２５８を含む。弾性アーム部材２５０、２５２のラッチ部２５５、２５８のそれぞれは、連結部材（５７２：図１２に開示）の結束面（６６２：図３に開示）に除去可能に結束される。
【００２２】
図３および図８を参照すると、連結部材１７４は、第１側壁２００に連結されて第１側壁２００から第１方向に外部に延長されている。連結部材１７４は、第１側壁２００の第２端部に隣接して連結されている。連結部材１７４は、凹部材３１２と凹部材３１２に連結されたタング部３１４を含む。
【００２３】
凹部材３１２は、水平壁３２０、３２２、３２４および垂直壁３２８、３３０を含む。水平壁３２０、３２２、３２４は、互いに平行に延長されており、第１面（１８２：図９に開示）に対して平行であり、互いに離隔している。垂直壁３２８、３３０は、水平壁３２０、３２２、３２４に連結されている。水平壁３２０、３２２は、水平壁３２０、３２２の間に中空３４２を含む。水平壁３２４と垂直壁３２８、３３０は、中空３４２と連通する水平壁３２４の側部に対向する水平壁３２４の側部上に中空３４４を定義する。また、水平壁３２０は、水平壁３２０を通じて延長されている開口３６０を含む。水平壁３２２は、水平壁３２２を通じて延長されている開口３６２を含み、中空３４２と連通する結束面３６４を含む。結束面３６４は、フレームアセンブリー２０の連結部材６４の弾性アーム１１６、１１８に結束される。
【００２４】
図３および図９を参照すると、タング部３１４は、弾性アーム部材３５０、３５２を含む。弾性アーム部材３５０、３５２は、水平壁３２４に連結され、水平壁３２４から下向きに互いに実質的に平行に延長されている。また、弾性アーム部材３５０、３５２は、互いに離隔しており、垂直壁３２８、３３０の底部の間に位置する。弾性アーム部材３５０は、シャフト部３５４とシャフト部３５４の端部に連結されたラッチ部３５５を含む。弾性アーム部材３５２は、シャフト部３５７とシャフト部３５７の端部に連結されたラッチ部３５８を含む。弾性アーム部材３５０、３５２のラッチ部３５５、３５８のそれぞれは、連結部材（５７４：図１２に開示）の結束面（７６２：図３に開示）に除去可能に結束される。
【００２５】
図４および図８を参照すると、連結部材１７６は、第２側壁２０２に連結され、第２側壁２０２から第１方向に対向する第２方向に外部に延長されている。連結部材１７６は、第２側壁２０２の第１端部に隣接して連結されている。連結部材１７６は、凹部材４１２と凹部材４１２に連結されたタング部４１４を含む。
【００２６】
凹部材４１２は、水平壁４２０、４２２、４２４および垂直壁４２８、４３０を含む。水平壁４２０、４２２、４２４は、互いに平行に延長されており、第１面（１８２：図９に開示）に対して平行であり、互いに離隔している。垂直壁４２８、４３０は、水平壁４２０、４２２、４２４に連結されている。水平壁４２０、４２２は、水平壁４２０、４２２の間に中空４４０を含む。水平壁４２４と垂直壁４２８、４３０は、中空４４２と連通する水平壁４２４の側部に対向する水平壁４２４の側部上に中空４４４を定義する。また、水平壁４２０は、水平壁４２０を通じて延長されている開口４６０を含む。水平壁４２２は、水平壁４２２を通じて延長されている開口４６２を含み、中空４４２と連通する結束面４６４を含む。結束面４６４は、フレームアセンブリー２０の連結部材６６の弾性アーム１３６、１３８に結束される。
【００２７】
図４および図１１を参照すると、タング部４１４は、弾性アーム部材４５０、４５２を含む。弾性アーム部材４５０、４５２は、水平壁４２４に連結され、水平壁４２４から下向きに互いに実質的に平行に延長されている。また、弾性アーム部材４５０、４５２は、互いに離隔しており、垂直壁４２８、４３０の底部の間に位置する。弾性アーム部材４５０は、シャフト部４５４とシャフト部４５４の端部に連結されたラッチ部４５５を含む。弾性アーム部材４５２は、シャフト部４５７とシャフト部４５７の端部に連結されたラッチ部４５８を含む。弾性アーム部材４５０、４５２のラッチ部４５５、４５８のそれぞれは、連結部材（５７６：図１２に開示）の結束面（８６２：図４に開示）に除去可能に結束される。
【００２８】
図４および図８を参照すると、連結部材１７８は、第２側壁２０２に連結され、第２側壁２０２から第１方向に対向する第２方向に外部に延長されている。連結部材１７８は、第２側壁２０２の第２端部に隣接して連結されている。連結部材１７８は、凹部材５１２と凹部材５１２に連結されたタング部５１４を含む。
【００２９】
凹部材５１２は、水平壁５２０、５２２、５２４および垂直壁５２８、５３０を含む。水平壁５２０、５２２、５２４は、互いに平行に延長されており、第１面（１８２：図９に開示）に対して平行であり、互いに離隔している。垂直壁５２８、５３０は、水平壁５２０、５２２、５２４に連結されている。水平壁５２０、５２２は、水平壁５２０、５２２の間に中空５４０を含む。水平壁５２４と垂直壁５２８、５３０は、中空５４４と連通する水平壁５２４の側部に対向する水平壁５２４の側部上に中空５４４を定義する。また、水平壁５２０は、水平壁５２０を通じて延長されている開口５６０を含む。水平壁５２２は、水平壁５２２を通じて延長されている開口５６２を含み、中空５４２と連通する結束面５６４を含む。結束面５６４は、フレームアセンブリー２０の連結部材６８の弾性アーム１５６、１８８に結束される。
【００３０】
図４および図１１を参照すると、タング部５１４は、弾性アーム部材５５０、５５２を含む。弾性アーム部材５５０、５５２は、水平壁５２４に連結され、水平壁５２４から下向きに互いに実質的に平行に延長されている。また、弾性アーム部材５５０、５５２は、互いに離隔しており、垂直壁５２８、５３０の底部の間に位置する。弾性アーム部材５５０は、シャフト部５５４とシャフト部５５４の端部に連結されたラッチ部５５５を含む。弾性アーム部材５５２は、シャフト部５５７とシャフト部５５７の端部に連結されたラッチ部５５８を含む。弾性アーム部材５５０、５５２のラッチ部５５５、５５８のそれぞれは、連結部材（５７８：図１２に開示）の結束面（９６２：図４に開示）に除去可能に結束される。
【００３１】
図５および図８を参照すると、フレームアセンブリー２２は、第１パネル部（ｆｉｒｓｔ  ｐａｎｅｌ  ｐｏｒｔｉｏｎ、５６６）と第２パネル部（ｓｅｃｏｎｄ  ｐａｎｅｌ  ｐｏｒｔｉｏｎ、５６７）を有する固い冷却ピンを含む。第１パネル部５６６は、実質的に四角環形状の第１フレーム部材の第１側壁２００、第２側壁２０２、第３側壁２０４、および第４側壁２０６内に少なくとも部分的にカプセル化（ｅｎｃａｐｓｕｌａｔｅ）されている。第１パネル部５６６は、第３側壁２０４を通じてさらに延長されている。第２パネル部５６７は、第１パネル部５６６の端部に連結されて第３側壁２０４の外装（ｅｘｔｅｒｉｏｒ）に直接位置する。第２パネル部５６７は、第１パネル部５６６に実質的に垂直に延長されている。電池セル４０、４２は、第１パネル部５６６の対向する側面上に第１パネル部５６６の少なくとも一部分に対面して直接配置されている。
【００３２】
図３、図４、図５、および図１２ないし図１５を参照すると、フレームアセンブリー２４は、電池セル４２、４４がフレームアセンブリー２２、２４の間に位置するようにフレームアセンブリー２２に除去可能に連結されている。また、フレームアセンブリー２４は、電池セル４６がフレームアセンブリー２４、２６の間に位置するようにフレームアセンブリー２６に除去可能に連結されている。
【００３３】
フレームアセンブリー２４は、実質的に四角環形状のフレーム５７０、連結部材５７２、５７４、５７６、５７８、および固い冷却ピン５８０を含む。一つの例示的な実施例において、実質的に四角環形状のフレーム５７０と連結部材５７２、５７４、５７６、５７８は、プラスチックからなっている。他の実施例において、実質的に四角環形状のフレーム５７０と連結部材５７２、５７４、５７６、５７８は、電気的絶縁素材からなってもよいことはもちろんである。面（５８２：図１３に開示）は、実質的に四角環形状のフレーム５７０、連結部材５７２、５７４、５７６、５７８、および固い冷却ピン５８０を通じて延長されている。面５８２は、面（１８２：図９に開示）に平行である。
【００３４】
図１２を参照すると、実質的に四角環形状のフレーム５７０は、第１側壁６００、第２側壁６０２、第３側壁６０４、および第４側壁６０６を含む。第１側壁６００と第２側壁６０２は、実質的に互いに平行に延長されて第３側壁６０４と第４側壁６０６の間に連結されている。第３側壁６０４と第４側壁６０６は、実質的に互いに平行であり、第１側壁６００および第２側壁６０２に垂直に延長されている。
【００３５】
図３および図１２を参照すると、連結部材５７２は、第１側壁６００に連結されて第１側壁６００から第１方向に外部に延長されている。連結部材５７２は、第１側壁６００の第１端部に隣接して連結されている。連結部材５７２は、凹部材６１２と凹部材６１２に連結されたタング部６１４を含む。
【００３６】
凹部材６１２は、水平壁６２０、６２２、６２４および垂直壁６２８、６３０を含む。水平壁６２０、６２２、６２４は、互いに平行に延長されており、第２面（５８２：図１３に開示）に対して平行であり、互いに離隔している。垂直壁６２８、６３０は、水平壁６２０、６２２、６２４に連結されている。水平壁６２２、６２４は、水平壁６２２、６２４の間に中空６４２を含む。水平壁６２４と垂直壁６２８、６３０は、中空６４４と連通する水平壁６２４の側部に対向する水平壁６２４の側部上に中空６４４を定義する。また、水平壁６２０は、水平壁６２０を通じて延長されている開口６６０を含む。水平壁６２２は、水平壁６２２を通じて延長されている開口６６０を含み、中空６４０と連通する結束面６６２を含む。水平壁６２２は、水平壁６２２を通じて延長されている開口６６４を含む。結束面６６２は、フレームアセンブリー２２の連結部材１７２の弾性アーム２５０、２５２に結束される。
【００３７】
図３および図１２を参照すると、タング部６１４は、弾性アーム部材６５０、６５２を含む。弾性アーム部材６５０、６５２は、水平壁６２４に連結され、水平壁６２４から下向きに互いに実質的に平行に延長されている。また、弾性アーム部材６５０、６５２は、互いに離隔しており、垂直壁６２８、６３０の底部の間に位置する。弾性アーム部材６５０は、シャフト部６５４とシャフト部６５４の端部に連結されたラッチ部６５５を含む。弾性アーム部材６５２は、シャフト部６５７とシャフト部６５７の端部に連結されたラッチ部６５８を含む。弾性アーム部材６５０、６５２のラッチ部６５５、６５８のそれぞれは、連結部材（１０６２：図１６に開示）の結束面（１１１２：図３に開示）に除去可能に結束される。
【００３８】
図３および図１２を参照すると、連結部材５７４は、第１側壁６００に連結されて第１側壁６００から第１方向に外部に延長されている。連結部材５７４は、第１側壁６００の第２端部に隣接して連結されている。連結部材５７４は、凹部材７１２と凹部材７１２に連結されたタング部７１４を含む。
【００３９】
凹部材７１２は、水平壁７２０、７２２、７２４および垂直壁７２８、７３０を含む。水平壁７２０、７２２、７２４は、互いに平行に延長されており、第２面（５８２：図１３に開示）に対して平行であり、互いに離隔している。垂直壁７６８、７３０は、水平壁７２０、７２２、７２４に連結されている。水平壁７２０、７２２は、水平壁７２０、７２４の間に中空７４２を含む。水平壁７２４と垂直壁７２８、７３０は、中空７４２と連通する水平壁７２４の側部に対向する水平壁７２４の側部上に中空７４４を定義する。また、水平壁７２０は、水平壁７２０を通じて延長されている開口７６０を含み、中空７４０と連通する結束面７６２を含む。水平壁７２２は、水平壁７２２を通じて延長されている開口７６４を含む。結束面７６２は、フレームアセンブリー２２の連結部材１７４の弾性アーム３５０、３５２に結束される。
【００４０】
図３および図１３を参照すると、タング部７１４は、弾性アーム部材７５０、７５２を含む。弾性アーム部材７５０、７５２は、水平壁７２４に連結され、水平壁７２４から下向きに互いに実質的に平行に延長されている。また、弾性アーム部材７５０、７５２は、互いに離隔しており、垂直壁７２８、７３０の底部の間に位置する。弾性アーム部材７５０は、シャフト部７５４とシャフト部７５４の端部に連結されたラッチ部７５５を含む。弾性アーム部材７５２は、シャフト部７５７とシャフト部７５７の端部に連結されたラッチ部７５８を含む。弾性アーム部材７５０、７５２のラッチ部７５５、７５８のそれぞれは、連結部材（１０６４：図１６に開示）の結束面（１２１２：図３に開示）に除去可能に結束される。
【００４１】
図４および図１２を参照すると、連結部材５７６は、第２側壁６０２に連結されて第２側壁６０２から第１方向に対向する第２方向に外部に延長されている。連結部材５７６は、第２側壁６０２の第１端部に隣接して連結されている。連結部材５７６は、凹部材８１２と凹部材８１２に連結されたタング部８１４を含む。
【００４２】
凹部材８１２は、水平壁８２０、８２２、８２４および垂直壁８２８、８３０を含む。水平壁８２０、８２２、８２４は、互いに平行に延長されており、第２面（５８２：図１３に開示）に対して平行であり、互いに離隔している。垂直壁８２８、８３０は、水平壁８２０、８２２、８２４に連結されている。水平壁８２０、８２２は、水平壁８２０、８２２の間に中空８４０を含む。水平壁８２２、８２４は、水平壁８２２、８２４の間に中空８４２を含む。水平壁８２４と垂直壁８２８、８３０は、中空８４２と連通する水平壁８２４の側部に対向する水平壁８２４の側部上に中空８４４を定義する。また、水平壁８２０は、水平壁８２０を通じて延長されている開口８６０を含み、中空８４０と連通する結束面８６２を含む。水平壁８２２は、水平壁８２２を通じて延長されている開口８６４を含む。結束面８６２は、フレームアセンブリー２２の連結部材１７６の弾性アーム４５０、４５２に結束される。
【００４３】
図４および図１５を参照すると、タング部８１４は、弾性アーム部材８５０、８５２を含む。弾性アーム部材８５０、８５２は、水平壁８２４に連結され、水平壁８２４から下向きに互いに実質的に平行に延長されている。また、弾性アーム部材８５０、８５２は、互いに離隔しており、垂直壁８２８、８３０の底部の間に位置する。弾性アーム部材８５０は、シャフト部８５４とシャフト部８５４の端部に連結されたラッチ部８５５を含む。弾性アーム部材８５２は、シャフト部８５７とシャフト部８５７の端部に連結されたラッチ部８５８を含む。弾性アーム部材８５０、８５２のラッチ部８５５、８５８のそれぞれは、連結部材（１０６６：図１６に開示）の結束面（１３１２：図４に開示）に除去可能に結束される。
【００４４】
図４および図１２を参照すると、連結部材５７８は、第２側壁６０２に連結されて第２側壁６０２から第１方向に対向する第２方向に外部に延長されている。連結部材５７８は、第２側壁６０２の第２端部に隣接して連結されている。連結部材５７８は、凹部材９１２と凹部材９１２に連結されたタング部９１４を含む。
【００４５】
凹部材９１２は、水平壁９２０、９２２、９２４と垂直壁９２８、９３０を含む。水平壁９２０、９２２、９２４は、互いに平行に延長されており、第２面（５８２：図１３に開示）に対して平行であり、互いに離隔している。垂直壁９２８、９３０は、水平壁９２０、９２２、９２４に連結されている。水平壁９２０、９２２は、水平壁９２０、９２２の間に中空９４０を含む。水平壁９２４と垂直壁９２８、９３０は、中空９４２と連通する水平壁９２４の側部に対向する水平壁９２４の側部上に中空９４４を定義する。また、水平壁９２０は、水平壁９２０を通じて延長されている開口９６０を含み、中空９４０と連通する結束面９６２を含む。水平壁９２２は、水平壁９２２を通じて延長されている開口９６４を含む。結束面９６２は、フレームアセンブリー２２の連結部材１７８の弾性アーム部材５５０、５５２に結束される。
【００４６】
図４および図１５を参照すると、タング部９１４は、弾性アーム部材９５０、９５２を含む。弾性アーム部材９５０、９５２は、水平壁９２４に連結され、水平壁９２４から下向きに互いに実質的に平行に延長されている。また、弾性アーム部材９５０、９５２は、互いに離隔しており、垂直壁９２８、９３０の底部の間に位置する。弾性アーム部材９５０は、シャフト部９５４とシャフト部９５４の端部に連結されたラッチ部９５５を含む。弾性アーム部材９５２は、シャフト部９５７とシャフト部９５７の端部に連結されたラッチ部９５８を含む。弾性アーム部材９５０、９５２のラッチ部９５５、９５８のそれぞれは、連結部材（１０６８：図１６に開示）の結束面（１４１２：図４に開示）に除去可能に結束される。
【００４７】
図５および図１２を参照すると、フレームアセンブリー２４は、第１パネル部９６６と第２パネル部９６７を有する固い冷却ピンを含む。第１パネル部９６６は、実質的に四角環形状の第１フレーム部材５７０の第１側壁６００、第２側壁６０２、第３側壁６０４、および第４側壁６０６内に少なくとも部分的にカプセル化されている。第１パネル部９６６は、第３側壁６０４を通じてさらに延長されている。第２パネル部９６７は、第１パネル部９６６の端部に連結されて第３側壁６０４の外装に直接位置する。第２パネル部９６７は、第１パネル部９６６に実質的に垂直に延長されている。電池セル４４、４６は、第１パネル部９６６の対向する側面上に第１パネル部９６６の少なくとも一部分に対面して直接配置されている。
【００４８】
図３、図４、図５、図１６、および図１７を参照すると、フレームアセンブリー２６は、電池セル４６がフレームアセンブリー２４、２６の間に位置するようにフレームアセンブリー２４に除去可能に連結されている。
【００４９】
フレームアセンブリー２６は、実質的に四角環形状のフレーム１０６０と連結部材１０６２、１０６４、１０６６、１０６８を含む。実質的に四角環形状のフレーム１０６０は、第１端部１０８０と第２端部１０８２を含む。一つの例示的な実施例において、実質的に四角環形状のフレーム１０６０と連結部材１０６２、１０６４、１０６６、１０６８は、プラスチックからなっている。他の実施例において、実質的に四角環形状のフレーム１０６０と連結部材１０６２、１０６４、１０６６、１０６８が電気的絶縁素材からなってもよいことはもちろんである。面（１０８４：図１３に開示）は、実質的に四角環形状のフレーム１０６０と連結部材１０６２、１０６４、１０６６、１０６８を通じて延長されている。面１０８４は面（５８２：図１３に開示）に平行である。
【００５０】
図３および図１６を参照すると、連結部材１０６２は、第１端部１０８０に連結されて第１端部１０８０から第１方向に外部に延長されている。連結部材１０６２は、凹部材１１００を含む。凹部材１１００は、水平壁１１０２と実質的に四角環形状の垂直壁１１０４を含む。水平壁１１０２は、面（１０８４：図３に開示）に平行に延長されている。実質的に四角環形状の垂直壁１１０４は、水平壁１１０２に連結され、水平壁１１０２から下向きに延長されている。実質的に四角環形状の垂直壁１１０４と水平壁１１０２は、実質的に四角環形状の垂直壁１１０４と水平壁１１０２の間に中空１１１４を定義する。また、水平壁１１０２は、水平壁１１０２を通じて延長されている開口１１１０を含み、中空１１１４と連通する結束面１１１２を含む。結束面１１１２は、フレームアセンブリー２４の連結部材５７２の弾性アーム６５０、６５２に結束される。
【００５１】
連結部材１０６４は、第１端部１０８０に連結されて第１端部１０８０から第１方向に外部に延長されている。連結部材１０６４は、凹部材１２００を含む。凹部材１２００は、水平壁１２０２と実質的に四角環形状の垂直壁１２０４を含む。水平壁１２０２は、面（１０８４：図３に開示）に平行に延長されている。実質的に四角環形状の垂直壁１２０４は、水平壁１２０２に連結され、水平壁１２０２から下向きに延長されている。実質的に四角環形状の垂直壁１２０４と水平壁１２０２は、実質的に四角環形状の垂直壁１２０４と水平壁１２０２の間に中空１２１４を定義する。また、水平壁１２０２は、水平壁１２０２を通じて延長されている開口１２１０を含み、中空１２１４と連通する結束面１２１２を含む。結束面１２１２は、フレームアセンブリー２４の連結部材５７４の弾性アーム７５０、７５２に結束される。
【００５２】
図４および図１６を参照すると、連結部材１０６６は、第２端部１０８２に連結されて第２端部１０８２から第１方向に対向する第２方向に外部に延長されている。連結部材１０６６は、凹部材１３００を含む。凹部材１３００は、水平壁１３０２と実質的に四角環形状の垂直壁１３０４を含む。水平壁１３０２は、面（１０８４：図３に開示）に平行に延長されている。実質的に四角環形状の垂直壁１３０４は、水平壁１３０２に連結され、水平壁１３０２から下向きに延長されている。実質的に四角環形状の垂直壁１３０４と水平壁１３０２は、実質的に四角環形状の垂直壁１３０４と水平壁１３０２の間に中空１３１４を定義する。また、水平壁１３０２は、水平壁１３０２を通じて延長されている開口１３１０を含み、中空１３１４と連通する結束面１３１２を含む。結束面１３１２は、フレームアセンブリー２４の連結部材５７６の弾性アーム８５０、８５２に結束される。
【００５３】
連結部材１０６８は、第２端部１０８２に連結されて第２端部１０８２から第１方向に対向する第２方向に外部に延長されている。連結部材１０６８は、凹部材１４００を含む。凹部材１４００は、水平壁１４０２と実質的に四角環形状の垂直壁１４０４を含む。水平壁１４０２は、面（１０８４：図３に開示）に平行に延長されている。実質的に四角環形状の垂直壁１４０４は、水平壁１４０２に連結され、水平壁１４０２から下向きに延長されている。実質的に四角環形状の垂直壁１４０４と水平壁１４０２は、実質的に四角環形状の垂直壁１４０４と水平壁１４０２の間に中空１４１４を定義する。また、水平壁１４０２は、水平壁１４０２を通じて延長されている開口１４１０を含み、中空１４１４と連通する結束面１４１２を含む。結束面１４１２は、フレームアセンブリー２４の連結部材５７８の弾性アーム９５０、９５２に結束される。
【００５４】
図５を参照すると、電池セル４０は、四角形本体１５００と電気端子１５０２、１５０４を含む。電気端子１５０２、１５０４は、四角形本体１５００の第１端部と第２端部のそれぞれから外部に延長されている。一つの例示的な実施例において、電池セル４０は、パウチ型リチウム二次電池である。
【００５５】
電池セル４２は、四角形本体１５１０と電気端子１５１２、１５１４を含む。電気端子１５１２、１５１４は、四角形本体１５１０の第１端部と第２端部のそれぞれから外部に延長されている。一つの例示的な実施例において、電池セル４２は、パウチ型リチウム二次電池である。
【００５６】
電池セル４４は、四角形本体１５２０と電気端子１５２２、１５２４を含む。電気端子１５２２、１５２４は、四角形本体１５２０の第１端部と第２端部のそれぞれから外部に延長されている。一つの例示的な実施例において、電池セル４４は、パウチ型リチウム二次電池である。
【００５７】
電池セル４６は、四角形本体１５３０と電気端子１５３２、１５３４を含む。電気端子１５３２、１５３４は、四角形本体１５３０の第１端部と第２端部のそれぞれから外部に延長されている。一つの例示的な実施例において、電池セル４６は、パウチ型リチウム二次電池である。
【００５８】
ここで記述された電池セルアセンブリーは、他の電池セルアセンブリーに比べて実質的な利点を提供する。具体的に、前記電池セルアセンブリーの利点は、フレームアセンブリーのそれぞれが、フレームアセンブリーを容易に連結することができるように、弾性アーム部材を有するタング部を含む連結部材そして凹部材を有する連結部材を含むことにある。
【００５９】
本発明が制限された数の実施例だけに係って詳細に説明されたとしても、本発明がそのような実施例に制限されないという点は自明である。また、本発明はここで説明されない変形、改造、置換または同等な配列を合体して改良可能であり、それらは本発明の思想と範囲内である。また、本発明の多様な実施例が説明される場合、本発明はそのような実施例を含むことができるということは自明である。したがって、本発明は前述した説明により制限されない。
【産業上の利用可能性】
【００６０】
以上で説明したとおり、本発明による電池セルアセンブリーは、弾性アーム部材を有するタング部および凹部材を有する連結部材を含むことによって、フレームアセンブリーを容易に連結することができるという効果がある。
【符号の説明】
【００６１】
１０  電池セルアセンブリー
２０  フレームアセンブリー
２２  フレームアセンブリー
２４  フレームアセンブリー
２６  フレームアセンブリー
４０  電池セル
４２  電池セル
４４  電池セル
４６  電池セル
６０  フレーム
６２  連結部材
６４  連結部材
６６  連結部材
６８  連結部材
８０  第１端部
８２  第２端部
９０  水平壁
９２  垂直壁
９４  垂直壁
９５  タング部
９６  弾性アーム部材
９７  弾性アーム部材
９８  弾性アーム部材
１００  シャフト部
１０１  ラッチ部
１０３  シャフト部
１０４  ラッチ部
１１０  水平壁
１１２  垂直壁
１１４  垂直壁
１１５  タング部
１１６  弾性アーム部材
１１８  弾性アーム部材
１２０  シャフト部
１２１  ラッチ部
１２３  シャフト部
１２４  ラッチ部
１３０  水平壁
１３２  垂直壁
１３４  垂直壁
１３５  タング部
１３６  弾性アーム部材
１３８  弾性アーム部材
１４０  シャフト部
１４１  ラッチ部
１４３  シャフト部
１４４  ラッチ部
１５０  水平壁
１５２  垂直壁
１５４  垂直壁
１５５  タング部
１５６  弾性アーム部材
１５８  弾性アーム部材
１６０  シャフト部
１６１  ラッチ部
１６３  シャフト部
１６４  ラッチ部
１７０  フレーム
１７２  連結部材
１７４  連結部材
１７６  連結部材
１７８  連結部材
１８０  冷却ピン
１８２  第１面
１８８  弾性アーム
２００  第１側壁
２０２  第２側壁
２０４  第３側壁
２０６  第４側壁
２１２  凹部材
２１４  タング部
２２０  水平壁
２２２  水平壁
２２４  水平壁
２２８  垂直壁
２３０  垂直壁
２４２  中空
２４４  中空
２５０  弾性アーム部材
２５２  弾性アーム部材
２５４  シャフト部
２５５  ラッチ部
２５７  シャフト部
２５８  ラッチ部
２６０  開口
２６２  開口
２６４  結束面
３１２  凹部材
３１４  タング部
３２０  水平壁
３２２  水平壁
３２４  水平壁
３２８  垂直壁
３３０  垂直壁
３４２  中空
３４４  中空
３５０  弾性アーム部材
３５２  弾性アーム部材
３５４  シャフト部
３５５  ラッチ部
３５７  シャフト部
３５８  ラッチ部
３６０  開口
３６２  開口
３６４  結束面
４１２  凹部材
４１４  タング部
４２０  水平壁
４２２  水平壁
４２４  水平壁
４２８  垂直壁
４３０  垂直壁
４４０  中空
４４２  中空
４４４  中空
４５０  弾性アーム部材
４５２  弾性アーム部材
４５４  シャフト部
４５５  ラッチ部
４５７  シャフト部
４５８  ラッチ部
４６０  開口
４６２  開口
４６４  結束面
５１２  凹部材
５１４  タング部
５２０  水平壁
５２２  水平壁
５２４  水平壁
５２８  垂直壁
５３０  垂直壁
５４０  中空
５４２  中空
５４４  中空
５５０  弾性アーム部材
５５２  弾性アーム部材
５５４  シャフト部
５５５  ラッチ部
５５７  シャフト部
５５８  ラッチ部
５６０  開口
５６２  開口
５６４  結束面
５６６  第１パネル部
５６７  第２パネル部
５７０  第１フレーム部材
５７２  連結部材
５７４  連結部材
５７６  連結部材
５７８  連結部材
５８０  冷却ピン
５８２  面
６００  第１側壁
６０２  第２側壁
６０４  第３側壁
６０６  第４側壁
６１２  凹部材
６１４  タング部
６２０  水平壁
６２２  水平壁
６２４  水平壁
６２８  垂直壁
６３０  垂直壁
６４０  中空
６４２  中空
６４４  中空
６５０  弾性アーム部材
６５２  弾性アーム部材
６５４  シャフト部
６５５  ラッチ部
６５７  シャフト部
６５８  ラッチ部
６６０  開口
６６２  結束面
６６４  開口
７１２  凹部材
７１４  タング部
７２０  水平壁
７２２  水平壁
７２４  水平壁
７２８  垂直壁
７３０  垂直壁
７４０  中空
７４２  中空
７４４  中空
７５０  弾性アーム部材
７５２  弾性アーム部材
７５４  シャフト部
７５５  ラッチ部
７５７  シャフト部
７５８  ラッチ部
７６０  開口
７６２  結束面
７６４  開口
７６８  垂直壁
８１２  凹部材
８１４  タング部
８２０  水平壁
８２２  水平壁
８２４  水平壁
８２８  垂直壁
８３０  垂直壁
８４０  中空
８４２  中空
８４４  中空
８５０  弾性アーム部材
８５２  弾性アーム部材
８５４  シャフト部
８５５  ラッチ部
８５７  シャフト部
８５８  ラッチ部
８６０  開口
８６２  結束面
８６４  開口
９１２  凹部材
９１４  タング部
９２０  水平壁
９２２  水平壁
９２４  水平壁
９２８  垂直壁
９３０  垂直壁
９４０  中空
９４２  中空
９４４  中空
９５０  弾性アーム部材
９５２  弾性アーム部材
９５４  シャフト部
９５５  ラッチ部
９５７  シャフト部
９５８  ラッチ部
９６０  開口
９６２  結束面
９６４  開口
９６６  第１パネル部
９６７  第２パネル部
１０６０  フレーム
１０６２  連結部材
１０６４  連結部材
１０６６  連結部材
１０６８  連結部材
１０８０  第１端部
１０８２  第２端部
１０８４  面
１１００  凹部材
１１０２  水平壁
１１０４  垂直壁
１１１０  開口
１１１２  結束面
１１１４  中空
１２００  凹部材
１２０２  水平壁
１２０４  垂直壁
１２１０  開口
１２１２  結束面
１２１４  中空
１３００  凹部材
１３０２  水平壁
１３０４  垂直壁
１３１０  開口
１３１２  結束面
１３１４  中空
１４００  凹部材
１４０２  水平壁
１４０４  垂直壁
１４１０  開口
１４１２  結束面
１４１４  中空
１５００  四角形本体
１５０２  電気端子
１５０４  電気端子
１５１０  四角形本体
１５１２  電気端子
１５１４  電気端子
１５２０  四角形本体
１５２２  電気端子
１５２４  電気端子
１５３０  四角形本体
１５３２  電気端子
１５３４  電気端子
【図１】
0006727620.tif 000002
【図２】
0006727620.tif 000003
【図３】
0006727620.tif 000004
【図４】
0006727620.tif 000005
【図５】
0006727620.tif 000006
【図６】
0006727620.tif 000007
【図７】
0006727620.tif 000008
【図８】
0006727620.tif 000009
【図９】
0006727620.tif 000010
【図１０】
0006727620.tif 000011
【図１１】
0006727620.tif 000012
【図１２】
0006727620.tif 000013
【図１３】
0006727620.tif 000014
【図１４】
0006727620.tif 000015
【図１５】
0006727620.tif 000016
【図１６】
0006727620.tif 000017
【図１７】
0006727620.tif 000018